(57)【要約】【課題】商品が陳列される場所に関係なく、上段の棚に陳列された商品に対しても、棚の端に陳列された商品に対しても、十分な冷却効果を与えることができ、運転コストも低減できるオープンショーケースを提供することを目的としている。【解決手段】保冷室１１と、商品を陳列する棚２１と、棚２１の背面側に設けられる背面パネル１２と、を備え、保冷室１１の上部から吹出した冷気を保冷室の下部にて吸い込み開放部６にエアカーテンを形成するオープンショーケースであって、保冷室１１の正面視の形状と前記背面パネル１２の正面視の形状とは略同一に形成され、保冷室１１は、正面視及び側面視にて下底より上底を短寸とする略台形に形成されている。【選択図】図１
2015150041.tif 000002
【特許請求の範囲】
【請求項１】
開放された前面と開放可能な側面を有する保冷室と、前記保冷室の内部に設けられる商品を陳列する棚と、前記棚の背面側に設けられる背面パネルと、を備え、前記保冷室の上部から吹出した冷気を前記保冷室の下部にて吸い込み、前記前面及び開放された前記側面にエアカーテンを形成するオープンショーケースであって、前記保冷室の正面視の形状と前記背面パネルの正面視の形状とは略同一に形成され、前記保冷室は、正面視及び側面視にて下底より上底を短寸とする略台形に形成されることを特徴とするオープンショーケース。
【請求項２】
前記背面パネルは、前記保冷室に冷気を供給する冷気供給孔を備え、前記冷気供給孔は、前記棚の幅の略全長にわたり配設されることを特徴とする請求項１に記載のオープンショーケース。
【請求項３】
前記側面には透明板が配設され、前記冷気供給孔は前記棚と前記透明板との間に位置するように配設されることを特徴とする請求項２に記載のオープンショーケース。
【発明の詳細な説明】
【技術分野】
【０００１】
本発明は、スーパーマーケット等に設置されるオープンショーケースに係り、冷蔵温度が比較的低い（たとえば、４℃前後）商品を陳列、保存に最適な生鮮食品用のオープンショーケースに関する。
【背景技術】
【０００２】
従来のスーパーマーケットやコンビニエンスストアにおいて、冷凍食品や生鮮食料品等の商品を陳列するとともに所望の温度に保持するために、冷気循環式のオープンショーケースが利用されている。
【０００３】
この種のオープンショーケースとしては、前面側、背面側及び一方の側面側に開放部を有するオープンショーケース本体と、オープンショーケース本体内に設けられた商品収納部と、商品収納部の底面側に形成され、開放部の下端に空気吸入口を有する第１の通風路と、商品収納部の前後方向中央部を上下方向に延びるように設けられた第２の通風路と、商品収納部の上面側に設けられた空気吐出口を有する第３の通風路と、第３の通風路からエアカーテンを形成して第１の通風路の空気吸入口に空気を吸入させて第２の通風路及び第３の通風路を介して空気吐出口から吐出させる送風機と、空気吸入口から吸入した空気を冷却する冷却器とを備えたものが知られている（例えば、特許文献１参照）。
【先行技術文献】
【特許文献】
【０００４】
【特許文献１】特開２００５−１６４１６８号公報（第７頁−第１０頁）
【発明の概要】
【発明が解決しようとする課題】
【０００５】
しかしながら、特許文献１にあっては、エアカーテンを商品収納部に均一に形成できず、下段よりも暖気が集まり易い上段の棚に陳列された商品が冷えにくく、また、コーナ部のエアカーテンが安定して形成されないので、棚の中央よりも棚の端に陳列された商品が冷えにくいという問題がある。
【０００６】
本発明は、このような問題点に着目してなされたもので、商品が陳列される場所に関係なく、商品を均一に冷却することができ、運転コストも低減できるオープンショーケースを提供することを目的としている。
【課題を解決するための手段】
【０００７】
前記課題を解決するために、本発明のオープンショーケースは、
開放された前面と開放可能な側面を有する保冷室と、前記保冷室の内部に設けられる商品を陳列する棚と、前記棚の背面側に設けられる背面パネルと、を備え、前記保冷室の上部から吹出した冷気を前記保冷室の下部にて吸い込み、前記前面及び開放された前記側面にエアカーテンを形成するオープンショーケースであって、前記保冷室の正面視の形状と前記背面パネルの正面視の形状とは略同一に形成され、前記保冷室は、正面視及び側面視にて下底より上底を短寸とする略台形に形成されることを特徴としている。
この特徴によれば、保冷室の正面視の形状略同一に形成された背面パネルによって、背後から保冷室へ外気、熱が侵入することを防ぐとともに、正面視及び側面視にて下底より上底を短寸とする略台形に形成して、保冷室の上部ほどその断面積が小さくなるので、開放された前面、側面に形成されるエアカーテンの冷気の流速は、保冷室の上部ほど速くできる。その結果、保冷室の上部には強力なエアカーテンが形成され、暖気の集まり易い上部であっても、外気の影響を受けにくく、保冷室の上段の棚に陳列された商品は、強力に保冷される。
【０００８】
本発明のオープンショーケースは、
前記背面パネルは、前記保冷室に冷気を供給する冷気供給孔を備え、前記冷気供給孔は、前記棚の幅の略全長にわたり配設されることを特徴としている。
この特徴によれば、背面パネルには、棚の幅の略全長にわたり配設される冷気供給孔を備えるので、棚の幅の略全長にわたり吹出す冷気によって、商品が棚の中央に陳列されていても、棚の端に陳列されていても、商品を強力に保冷することができる。
【０００９】
本発明のオープンショーケースは、
前記側面には透明板が配設され、前記冷気供給孔は前記棚と前記透明板との間に位置するように配設されることを特徴としている。
この特徴によれば、冷気供給孔は、棚の端部と透明板との間に配設されるので、商品が保冷室の端部に陳列されていても、強力に保冷することができる。
【図面の簡単な説明】
【００１０】
【図１】オープンショーケースを示す斜視図である。
【図２】オープンショーケースの正面図である。
【図３】オープンショーケースの側面図である。
【図４】オープンショーケースの平面図である。
【発明を実施するための形態】
【００１１】
本発明に係るオープンショーケースを実施するための形態を実施例に基づいて以下に説明する。
【００１２】
本発明に係るオープンショーケースにつき、図１から図４を参照して説明する。以下、図１、図３及び図４の矢印Ａ方向並びに図２の紙面を上から下へ垂直に貫く方向を正面方向とする。また、図１、図２及び図４のＢ方向を側面方向並びに図３の紙面を上から下へ垂直に貫く方向を側面方向とする。
【００１３】
本発明のオープンショーケース１について、図１から図４を参照して説明する。図１に示すように、保冷室１１は、前面、一対の側面、天井に配設された天井板（図示せず）及び底部に配設された底板２０に囲まれた空間となっている。前面は保冷室に商品を出し入れするための開放部６を有する。側面は開放可能となっており、開放しない場合には、透明板１８、１８を取付け可能となっている。また、保冷室１１の背面パネル１２には、商品（図示せず）を陳列するための棚２１ａ、２１ｂ、２１ｃが上下多段に取り付けられており、多数の商品を陳列可能な構成となっている。
【００１４】
ここで、背面パネル１２の構成について説明する。図２に示すように、背面パネル１２は、保冷室の正面視の形状と略同一の形状を有し、少なくとも、その中央に略矩形のパネル１２ｂ、１２ｃと、略矩形のパネル１２ｂ、１２ｃに隣接する略三角形パネル１２ｄ、１２ｆを備え、略矩形のパネル１２ｂ、１２ｃ及び略三角形パネル１２ｄ、１２ｆには、冷気供給孔１２ａが多数穿設されている。そして、背面パネル１２は、少なくとも、略矩形のパネル１２ｂ、１２ｃと略三角形パネル１２ｄ、１２ｆとを組合せて、正面視にて下底より上底を短寸とした略台形としている。ここで、略台形の背面パネル１２は、一つの略台形の背面パネルから形成してもよいし、複数の略台形の背面パネルを組合せて構成してもよい。また、図２の背面パネル１２は、左右対称に構成されているが、左右非対称の略台形としてもよい。なお、略矩形のパネル１２ｂ、１２ｃ、略三角形パネル１２ｄ、１２ｆは、着脱可能となっている。
【００１５】
さらに、保冷室１１の底板２０は、その周囲を一対の側板１９ａ、１９a、側板１９ｂ及び背面パネル１２により囲まれた商品陳列部となっている。商品陳列部の底板２０の外周縁には、後述する冷気を吸込む吸込口１７ａ、１７ｂ、１７ｂが形成されている（図１、図４参照）。
【００１６】
なお、天井板、底板２０、背面パネル１２は、必要に応じて断熱することができる。また、本実施例においては、保冷室の側面の開放部には透明板１８、１８を設けているが、透明板１８、１８を設けない場合には、後述するエアカーテンを使用して保冷することができる。
【００１７】
つぎに、冷気の流れについて説明する。図１に示すように、背面パネル１２と所定の間隔を設け、断熱された外側パネル１３が配設され、背面パネル１２と外側パネル１３との間の空間は通風路１４を形成している。さらに、底板２０の下部の空間（図示せず）と通風路１４とは連通した連通空間となっており、該連通空間には空気を冷却する冷却器（図示せず）および冷気を圧送する送風機（図示せず）からなる冷却装置が設置されている。
【００１８】
図１から図３に示すように、保冷室１１の上部前面には、吸込口１７ａに向けて吹出口１６が設けられている。そして、送風機よって循環される連通空間内の空気は、冷却器によって冷却され、吹出口１６及び冷気供給孔１２ａから冷気となって吹き出し、この冷気により棚２１ａ、２１ｂ、２１ｃ及び底板２０上の商品は冷却、保冷される。また、図１に示すように、吹出口１６から吹出した冷気及び背面パネル１２の略矩形パネル１２ｂ、１２ｃ（図２参照）の吹出口１２ａから吹出した冷気は、主に吸込口１７ａより吸い込まれ、台形状の開放部６の略中央部にはエアカーテン３１が形成される。また、背面パネル１２の略三角形パネル１２ｄ、１２ｆ（図２参照）の吹出口１２ａから吹出した冷気は、吸込口１７ａ、１７ｂより吸い込まれ、台形状の開放部６の側部にはエアカーテン３２、３３が形成される。このエアカーテン３１、３２、３３により、保冷室１１内の開放部６からの冷気の拡散や外部からの熱の侵入が防止され、保冷室の温度が一定に保たれるようになっている。
【００１９】
なお、図１及び図４に示すように、吸込口１７ｂ、１７ｂは、最下段の棚２１ｃの前端部より前側（開放部６側）に位置するように、保冷室の底部に設けられている。このような構成により、背面パネル１２の略三角形パネル１２ｄ、１２ｆ（図２参照）の吹出口１２ａから吹出した冷気は、エアカーテン３２、３３が乱れることなく、直進して吸込口１７ａ、１７ｂに吸い込まれるため、冷気が透明板１８に当りにくくなり、図３に示す透明板１８の領域Ｃが結露しにくくなる。
【００２０】
また、保冷室の側面に透明板１８、１８を設けないで開放する場合には、吸込口１７ｂ、１７ｂは、保冷室の底部側面の全長にわたって設けられる。さらに、吹出口１６を保冷室上部の前面及び側面に略コ字状に形成することにより、保冷室の前面及び側面の開放部にエアカーテンを形成することができる。
【００２１】
つぎに、保冷室１１及び背面パネル１２の形状の作用効果について説明する。図１、図２に示すように、保冷室１１の正面視の形状と背面パネル１２の正面視の形状とは略同一に形成され、さらに、保冷室１１を正面視及び側面視にて下底より上底を短寸とする略台形に形成して、保冷室の上部ほど保冷室の断面積を小さくしているので、開放部６に形成されるエアカーテンの冷気の流速は保冷室１１の上部ほど速くすることができる。その結果、保冷室の上部ほど、強力なエアカーテンが形成され、暖気の集まり易い上部から保冷室への外気及び熱の侵入をシャットアウトして、外気の影響を受けにくくすることができる。さらに、保冷室の上段の棚に陳列された商品は、流速の速い冷気によって冷却されるので、上段の棚に陳列された商品であっても強力に保冷される。
【００２２】
つぎに、背面パネル１２及び冷気供給孔１２ａの作用効果について説明する。背面パネル１２は、保冷室１１の正面視の形状と略同一の形状とされるので、冷気供給孔１２ａは、保冷室正面視にて、棚２１ａ、２１ｂ、２１ｃの幅の略全長、または背面パネル１２全体にわたり設けることができる。その結果、商品が棚上のどこに陳列されていても、商品の位置に対応した冷気供給孔１２ａから冷気が供給され、保冷室の中央に陳列された商品のみでなく、保冷室のコーナ部に陳列された商品も、効率よく冷却することができ、比較的低い温度（たとえば４℃）に保冷することができる。
【００２３】
なお、冷気供給孔１２ａを棚の幅の略全長にわたり設ける場合は、冷気供給孔１２ａを背面パネル全面に分布させる場合に比較して、冷気の流量を減らすことができ、省エネとなる。ここで、冷気供給孔１２ａを棚の幅の略全長にわたり設けるとは、一つの、冷気供給孔１２ａを棚の幅の略全長にわたって設けてもよいし、複数の冷気供給孔１２ａを断続して棚の幅の略全長にわたって設けてもよい。また、複数の冷気供給孔１２ａを断続して棚の幅の略全長にわたって設ける場合には、隣接する棚の間の領域全体に千鳥配列して、設けてもよいし、碁盤目配列のように縦、横揃えて配列してもよい。
【００２４】
さらに、図２に示すように、背面パネル１２の全面に冷気供給孔１２ａを設ければ、保冷室内をほぼ均一の温度分布とすることができる。逆に、冷気供給孔１２ａの分布を不均一にすることにより、保冷室内の温度分布を変化させることもできる。すなわち、保冷室１１に流れる冷気の風量分布を変えると、商品の冷却効果も変わるので、特定の領域の冷気供給孔の分布密度を他の領域よりも密にして、他の領域よりも冷却効果を高め、冷蔵温度の低い商品に適した雰囲気温度にすることもできる。
【００２５】
従来は、冷蔵温度の一番低い商品に合わせて保冷室の温度を設定していた。しかし、本発明のオープンショーケース１においては、冷気の流速は、保冷室１１の上部ほど速くなっているので、上段の棚に陳列された商品は、下段の棚に陳列された商品よりも、良く冷える。さらに、上段の棚背後の冷気供給孔１２ａの分布を密にすれば、一層冷却効果を高めることができる。このようにすれば、上段の棚に要保冷温度の低い商品を陳列し、要保冷温度の高い商品を下段の棚、底板に陳列することができ、同じ保冷室１１の中で、異なる冷却効果を有する雰囲気を作ることができるので、省エネ、運転コストの低減を図ることができる。
【００２６】
さらに、冷気供給孔１２ａの分布密度を変えるために、背面パネルに設ける冷気供給孔１２ａの分布を変化させるのではなく、特定の領域を覆う補助パネルを背面パネル１２に取付けて一部の冷気供給孔１２ａを塞ぎ、保冷室１１の温度分布を当初設定した温度分布と異なる温度分布に設定することもできる。
【００２７】
つぎに、透明板１８及び冷気供給孔１２ａの作用効果について説明する。図１及び図２に示すように、保冷室１１の側面部に透明板１８を配設することで、保冷室１１から外部へ冷気が漏れたり、外気が保冷室１１内に侵入することを防ぐことができる。さらに、透明板を使用することで、消費者は陳列された商品を透明板１８を通して外部より容易に視認できるようになる。
【００２８】
さらに、冷気供給孔１２ａを、棚２１ａ、２１ｂ、２１ｃと透明板１８との間の領域に位置するように配設することにより、棚の端部に陳列された商品であっても、効率よく冷却することができる。なお、冷気供給孔１２ａは、棚２１ａ、２１ｂ、２１ｃの一方の各端部を結んだ線と透明板１８との間の領域に均一に設けるようにしてもよいし、棚上の商品の配列に合わせて不均一に配列してもよい。
【００２９】
本発明のオープンショーケース１は、以下のような作用効果を奏する。
【００３０】
保冷室１１の正面視の形状と略同一に形成された背面パネル１２を設けることによって、背後から保冷室内へ外気、熱が侵入することを防ぐことができる。さらに、保冷室１１を正面視及び側面視にて下底より上底を短寸とする略台形に形成して、保冷室の上部ほど断面積を小さくすることにより、開放部に形成されるエアカーテンの冷気の流速を、保冷室の上部ほど速くできる。その結果、保冷室の上部には強力なエアカーテンが形成され、暖気の集まり易い上部であっても、外気の影響を受けにくく、保冷室の上段の棚に陳列された商品は、強力に保冷される。
【００３１】
冷気供給孔１２ａは、保冷室１１の正面視にて、棚２１ａ、２１ｂ、２１ｃの幅の略全長にわたり設けられているので、商品が棚２１ａ、２１ｂ、２１ｃのどの位置に陳列されていても冷やすことができるとともに、背面板１２の全体に冷気供給孔１２ａを設ける場合に比較して、冷却風量を低減できるので、省エネとすることができる。
【００３２】
保冷室１１の側面部に透明板１８を配設したので、陳列された商品を外部より視認できるとともに、一側面が開放されたオープンショーケース２であっても冷気を保冷室１１内に保持することができる。さらに、棚２１ａ、２１ｂ、２１ｃと透明板１８との間に位置するように冷気供給孔１２ａを設け、該冷却孔１２ａから供給される冷気によって、保冷室のコーナ部に配置された商品であっても効率よく冷却できる。
【００３３】
以上、本発明の実施例を図面により説明してきたが、具体的な構成はこれら実施例に限られるものではなく、本発明の要旨を逸脱しない範囲における変更や追加があっても本発明に含まれる。
【００３４】
例えば、前記実施例では、図１のオープンショーケース１は、単独で使用する例を示したが、他の二つのオープンショーケースを背面合わせに配置し、他の二つのオープンショーケースの端部に本発明のオープンショーケース１を背面合わせに配置する構成としてもよい。
【符号の説明】
【００３５】
１              オープンショーケース
６              開放部
１１            保冷室
１２            背面パネル
１２ａ          冷気供給孔
１３            外側パネル
１４            通風路
１６            吹出口
１７ａ          吸込口
１７ｂ          吸込口
１８            透明板
２０            底板
２１ａ          棚
２１ｂ          棚
２１ｃ          棚
【図１】
2015150041.tif 000003
【図２】
2015150041.tif 000004
【図３】
2015150041.tif 000005
【図４】
2015150041.tif 000006